(57)【要約】【課題】  排水ダクトに異物が詰まったときの、位置の特定、異物の除去を容易に行える室外ユニットを提供する。【解決手段】  熱交換器２１を備えた熱交換室２００が上段に、圧縮機２０及び電気部品を備えた機械室３００が下段にそれぞれ配置され、前記機械室３００と前記熱交換室２００とがドレンパン６０を介して仕切られる室外ユニット２において、前記ドレンパン６０の排水孔６０Ｂからの水を流通するダクト４がドレンパン６０から機械室３００の底板６６に向かって延び、このダクト４の外周の一部分が開放されており、前記機械室３００を覆う外装パネル６８が前記ダクト４の前記開放された部分を閉鎖することにより、前記ダクト４の外周が閉となるように形成した。【選択図】      図４
2006125651.tif 000002
【特許請求の範囲】
【請求項１】
熱交換器を備えた熱交換室が上段に、
圧縮機及び電気部品を備えた機械室が下段にそれぞれ配置され、
前記機械室と前記熱交換室とがドレンパンを介して仕切られる室外ユニットにおいて、
前記ドレンパンの排水孔からの水を流通するダクトがドレンパンから機械室の底板に向かって延び、このダクトの外周の一部分が開放されており、前記機械室を覆う外装パネルが前記ダクトの前記開放された部分を閉鎖することにより、前記ダクトの外周が閉となることを特徴とする室外ユニット。
【請求項２】
前記ダクトは、前記外装パネルを取り外すことにより、当該ダクトの内部を露出することを特徴とする請求項１に記載の室外ユニット。
【請求項３】
前記ダクトは、前記外装パネルを取り外すことにより、前記ドレンパンの排水孔を露出することを特徴とする請求項１又は２に記載の室外ユニット。
【請求項４】
前記ダクトの上端が、樋を介して排水孔に連通することを特徴とする請求項１乃至３に記載の室外ユニット。
【請求項５】
前記ダクトは、前記ドレンパンの排水孔から流通する水を、前記機械室の底板上に流出することを特徴とする請求項１乃至４に記載の室外ユニット。
【請求項６】
前記ダクトは、取り外し自在であることを特徴とする請求項１乃至５に記載の室外ユニット。
【請求項７】
前記ダクトは、前記ドレンパンを支持することを特徴とする請求項１乃至６に記載の室外ユニット。
【請求項８】
前記ダクトは、前記外装パネルを支持することを特徴とする請求項１乃至７に記載の室外ユニット。
【発明の詳細な説明】
【技術分野】
【０００１】
本発明は、空気調和装置の室外ユニットに関する。
【背景技術】
【０００２】
従来、空気調和装置等の室外熱交換器を備えた室外ユニットにおいて、ドレンパンにより上下に仕切られ、上段に熱交換器や送風機等を備えた熱交換室、下段に圧縮機や電気部品等を備え、外装パネルに覆われた機械室を配置したものが知られている。
このような室外ユニットでは、ドレンパンに溜まったドレン水は、室外ユニットの外部から排水していたため、美観を損なっていた。そこで近年、外観上の美観を向上させるために、下段の機械室内に矩形断面のダクトを通し、これにドレン水を通すことにより排水するものが提案されている（例えば、特許文献１）。
【特許文献１】特開２００１−２０１１０８号公報
【発明の開示】
【発明が解決しようとする課題】
【０００３】
しかしながら、室外ユニットのドレンパンやダクト内あるいはダクト出口等に、ドレン水に含まれるゴミ等の異物が詰まり、ドレン水の流通を阻害することがある。従来の室外ユニットでは、詰まっている位置を特定し、原因となっている異物を除去するためには、機械室の外装パネルを取り外し、機械室内に配置されているダクトを取り外さなくてはならなかった。
【０００４】
そこで、本発明の目的は、上述した従来の技術が有する課題を解消し、排水ダクトに異物が詰まったときの、位置の特定、異物の除去を容易に行える室外ユニットを提供することにある。
【課題を解決するための手段】
【０００５】
本発明は、熱交換器を備えた熱交換室が上段に、圧縮機及び電気部品を備えた機械室が下段にそれぞれ配置され、前記機械室と前記熱交換室とがドレンパンを介して仕切られる室外ユニットにおいて、前記ドレンパンの排水孔からの水を流通するダクトがドレンパンから機械室の底板に向かって延び、このダクトの外周の一部分が開放されており、前記機械室を覆う外装パネルが前記ダクトの前記開放された部分を閉鎖することにより、前記ダクトの外周が閉となることを特徴とする。
【０００６】
この場合において、前記ダクトは、前記外装パネルを取り外すことにより、当該ダクトの内部を露出するようにしてもよい。前記ダクトは、前記外装パネルを取り外すことにより、前記ドレンパンの排水孔を露出するようにしてもよい。前記ダクトの上端が、樋を介して排水孔に連通してもよい。前記ダクトは、前記ドレンパンの排水孔から流通する水を、前記機械室の底板上に流出してもよい。前記ダクトは、取り外し自在であってもよい。前記ダクトは、前記ドレンパンを支持してもよい。前記ダクトは、前記外装パネルを支持してもよい。
【発明の効果】
【０００７】
本発明では、排水ダクトを機械室内に通したとしても、外装パネルを取り外せば、ダクトの一部が開放されるため、容易に排水ラインの内部を確認することができる。
【発明を実施するための最良の形態】
【０００８】
以下、図面を参照して本発明の一実施形態を説明する。
図１において、１は空気調和装置を示す。この空気調和装置１は、複数台（２台）の室外ユニット２Ａ、２Ｂと、複数台（２台）の室内ユニット３Ａ、３Ｂとを備えている。この空気調和装置１では、室外ユニット２Ａ、２Ｂと室内ユニット３Ａ、３Ｂとを接続する冷媒配管５が、低圧ガス管６と、高圧ガス管７と、液管８とから構成され、室内ユニット３Ａ、３Ｂを同時に冷房運転若しくは暖房運転可能とし、または、これらの冷房運転（ドライ運転を含む）と暖房運転とを混在して実施可能としている。
【０００９】
室内ユニット３Ａは、室内熱交換器（利用側熱交換器）１０と膨張弁（減圧装置）１１とを備えて構成され、この室内熱交換器１０の一端は、膨張弁１１を介して液管８に配管接続されている。また、室内熱交換器１０の他端には、分岐管１２が接続され、この分岐管１２は、高圧ガス分岐管１２Ａと低圧ガス分岐管１２Ｂとに分岐し、一方の高圧ガス分岐管１２Ａは第１開閉弁（例えば、電磁弁）１３を介して高圧ガス管７に接続され、他方の低圧ガス分岐管１２Ｂは第２開閉弁（例えば、電磁弁）１４を介して低圧ガス管６に接続されている。また、室内ユニット３Ａには、室外熱交換器２１の出入口温度や室温を検出する温度センサ等が配置される他、これらセンサの検出結果を入力してこの室内ユニット３Ａの制御を行う室内制御装置（図示せず）を備えている。
室内ユニット３Ｂは、室内ユニット３Ａと略同一の構成であるため、同一の部分に同一の符号を付して示し、重複する説明は省略する
【００１０】
図２は、室外ユニット２Ａの構成を拡大して示す回路図である。なお、室外ユニット２Ｂは略同様の構成であり、その説明を省略する。
室外ユニット２Ａは、能力可変型の圧縮機（ＤＣインバータ圧縮機）２０Ａと、能力一定型の圧縮機（ＡＣ圧縮機）２０Ｂ１、２０Ｂ２と、オイルセパレータ２５と、室外熱交換器（熱源側熱交換器）２１と、膨張弁２６と、レシーバタンク２３等から概略構成されている。以下、各圧縮機２０Ａ、２０Ｂ１、２０Ｂ２を特に区別する必要がない場合は、圧縮機２０と表記する。
【００１１】
各圧縮機２０Ａ、２０Ｂ１、２０Ｂ２は、圧縮動作時に内部が高圧となる高圧容器の圧縮機であり、一の圧縮機２０の高圧部（高圧容器内）と他の圧縮機２０の低圧部（吸込管内）とがオイル管６１で連結され、このオイル管６１にはキャピラリーチューブ（絞り）６２が設けられている。
【００１２】
各圧縮機２０Ａ、２０Ｂ１、２０Ｂ２は、並列接続され、各圧縮機２０Ａ、２０Ｂ１、２０Ｂ２の吸込口に共通接続された吸込管３０が、アキュムレーター２４を介して低圧ガス管６に接続される。また、各圧縮機２０Ａ、２０Ｂ１、２０Ｂ２の吐出口に接続された吐出管３１は、オイルセパレータ２５を経て延出し、２つに分岐し、一方の冷媒吐出分岐管３１Ａが高圧ガス管７に接続され、他方の冷媒吐出分岐管３１Ｂが室外熱交換器２１に接続されている。
【００１３】
ここで、上記冷媒吐出分岐管３１Ｂには、切換弁４０が設けられ、この切換弁４０が開くと、圧縮機２０の吐出冷媒が、室外熱交換器２１に供給される。
上記切換弁４０と室外熱交換器２１の間には、一つのポートＡが塞がれた、四方弁４１が設けられ、この四方弁４１は、室外熱交換器２１の一端と、切換弁４０につながる管路３１Ｂとを連通し、或いは、室外熱交換器２１の一端と、圧縮機２０の吸込管３０につながる管路３２とを連通する。
【００１４】
室外熱交換器２１の他端は、室外熱交換器２１に供給する冷媒流量を調整するための膨張弁２６、レシーバタンク２３、及び補助冷却回路２８を介して液管８と配管接続されている。補助冷却回路２８は、レシーバタンク２３と液管８とを接続する冷媒配管３３を流れる液冷媒を補助冷却するものであり、より具体的には、レシーバタンク２３と液管８との間の液冷媒が通る配管３３の一部と、この配管３３から分岐して膨張弁２９を通過した冷媒が通る分岐管３４の一部とを２重管で構成した、２重管式熱交換器である。膨張弁２９を通過した冷媒が通る分岐管３４は、補助冷却回路２８に接続された冷媒配管３５を介して圧縮機２０の吸込管３０とつながり、この分岐管３４、３５を通過した冷媒は圧縮機２０の吸込口に戻される。
【００１５】
また、オイルセパレータ２５には、オイルセパレータ２５に溜められたオイル量が所定量以上の場合に、余剰のオイル（潤滑油）を圧縮機２０の吸込管３０に戻す冷媒戻し管４５と、当該オイルセパレータ２５と他の室外ユニット２Ｂのオイルセパレータ２５とを接続するためのオイルバランス管４６とが接続される。このオイルバランス管４６は、開閉弁４６Ａを備え、図１に示すように、オイル管４７を介して他の室外ユニット２Ｂのオイルセパレータ２５と接続されると共に、このオイルバランス管４６から分岐する分岐管４５Ａを介して冷媒戻し管４５に接続される。この分岐管４５Ａには、開閉弁４５Ｂが設けられる。このため、開閉弁４６Ａが開き、開閉弁４５Ｂが閉じると、オイルセパレータ２５に貯留されたオイルが他の室外ユニット２Ｂに供給され、開閉弁４６Ａが閉じ、開閉弁４５Ｂが開くと、他の室外ユニット２Ｂから供給されたオイルが分岐管４５Ａを介して冷媒戻し管４５に供給され、これによって、室外ユニット２Ａ、２Ｂ間をオイルが行き来可能に構成されている。
【００１６】
１００は、室外制御装置である。
この空気調和装置１は、図示を省略したリモートコントローラを備え、室外ユニット２Ａ、２Ｂのいずれかの室外制御装置１００が、リモートコントローラを介して入力したユーザ指示等に応じて、他の室外制御装置１００や室内制御装置と通信し、この空気調和装置１全体の運転制御を行う。
【００１７】
全ての室内ユニット３Ａ、３Ｂを同時に冷房運転する場合、各室外ユニット２Ａ、２Ｂでは、切換弁４０が開くと共に四方弁４１が切換制御され、また、各室内ユニット３Ａ、３Ｂでは第１開閉弁１３が閉じ、第２開閉弁１４が開く。この場合、図１に実線矢印で示すように、圧縮機２０の吐出冷媒が、オイルセパレータ２５を介して室外熱交換器２１に供給され、ここで放熱・凝縮して液冷媒となり、レシーバタンク２３及び補助冷却回路２８を経て液管８に供給される。
そして、室内ユニット３Ａ、３Ｂにおいては、液管８を介して液冷媒が膨張弁１１を介して室内熱交換器１０に供給され、ここで吸熱・蒸発し、低温低圧のガス冷媒となり、第２開閉弁１４を介して低圧ガス管６に供給される。
この低圧ガス管６に供給されたガス冷媒は、室外ユニット２Ａ、２Ｂの吸込管３０を介して圧縮機２０で再び圧縮される。これによって、全ての室内ユニット３Ａ、３Ｂで同時に冷房運転が可能になる。
【００１８】
一方、全ての室内ユニット３Ａ、３Ｂを同時に暖房運転する場合、各室外ユニット２Ａ、２Ｂでは、切換弁４０が閉じると共に四方弁４１が切換制御され、各室内ユニット３Ａ、３Ｂでは第１開閉弁１３が開き、第２開閉弁１４が閉じる。この場合、図１に破線矢印で示すように、圧縮機２０が吐出した高温高圧のガス冷媒が、オイルセパレータ２５を介して高圧ガス管７に供給される。そして、室内ユニット３Ａ、３Ｂにおいては、高圧ガス管７を介してガス冷媒が室内熱交換器１０に供給され、ここで、放熱・凝縮して液冷媒となった後、膨張弁１１を介して液管８に供給される。この液管８に供給された液冷媒は、室外ユニット２Ａ、２Ｂの冷媒配管３３及びレシーバタンク２３を介して室外熱交換器２１に供給され、ここで、吸熱・蒸発し、ここで低温低圧のガス冷媒となり、吸込管３０を介して圧縮機２０で再び圧縮される。これによって、全ての室内ユニット３Ａ、３Ｂで同時に暖房運転が可能になる。
【００１９】
また、暖房運転と冷房運転の混在運転を行う場合、例えば、室内ユニット３Ａを暖房運転し、室内ユニット３Ｂを冷房運転する場合、室外ユニット２Ａ、２Ｂが上記同時暖房運転の場合と同様に制御される一方、室内ユニット３Ａにおいては、第１開閉弁１３が閉じ、第２開閉弁１４が開き、室内ユニット３Ｂにおいては、第１開閉弁１３が開き、第２開閉弁１５が閉じる。この場合、各室外ユニット２Ａ、２Ｂから高温高圧のガス冷媒が高圧ガス管７に供給され、室内ユニット３Ａにおいては、高圧ガス管７を介してガス冷媒が室内熱交換器１０に供給され、ここで放熱・凝縮して液冷媒となった後、膨張弁１１を介して液管８に供給される。この液管８に供給された液冷媒の一部は室外ユニット２Ａ、２Ｂへ戻り、室外熱交換器２１で吸熱・蒸発し、低温低圧のガス冷媒となる。
【００２０】
一方、液管８に供給された液冷媒の残りは、室内ユニット３Ｂの室内熱交換器１０に供給され、ここで吸熱・蒸発し、低温低圧のガス冷媒となった後、第２開閉弁１４を介して低圧ガス管６に供給される。
そして、低圧ガス管６に供給された冷媒は、室外熱交換器２１を経た上記ガス冷媒と共に、吸込管３０を介して圧縮機２０で再び圧縮される。これによって、室内ユニット３Ａ、３Ｂ毎に暖房運転と冷房運転とが可能になる。
【００２１】
前記室外ユニット２を図３に示す。この矩形の室外ユニット２はドレンパン６０により上段の熱交換室２００と下段の機械室３００とに仕切られている。
【００２２】
上段の熱交換室２００の外周は、室外熱交換器２１が当該外周の開口部を塞ぐようにして吸気口８１を構成している。熱交換室２００に配置された室外熱交換器２１は上方から見てＬ字形となるように曲がっており、このＬ字形の室外熱交換器２１が２枚で組になって、それぞれ熱交換室２００の４つの吸気口８１を２つずつ覆う構成となっている。
【００２３】
熱交換室２００の上部は中央に排気口８２を形成した天板６３により構成され、熱交換室２００の下部は上述したドレンパン６０により構成される。
この排気口８２には送風機６４が設けられており、この送風機６４により、吸気口８１から吸い込まれた外気は、室外熱交換器２１を介して、室外熱交換器２１内を流れる冷媒と熱交換を行い、熱交換後の外気は、上部に設けられた送風機６４により大気へ放出される。また、排気口８２はファンガード６４Ａにより覆われている。
【００２４】
下段の機械室３００には、上述した圧縮機２０、アキュムレーター２４、電気部品、四方弁４１等が配置されている。図４に示すように、機械室３００の上部のドレンパン６０は、板金成形による複数の四角柱６５（１つのみ図示する）により支持されており、これらは、機械室３００の整備性を考慮したために不規則に底板６６に配置されている。さらにこの底板６６は、底板６６裏側の１組の対辺に設けられたＬ字形状の据付脚６７により支持されている。また、機械室３００の外周は、雨等から機械室３００を保護する外装パネル６８によって形成されている。
【００２５】
ところで、熱交換室２００の吸気口８１及び排気口８２からは雨水が侵入する恐れがある。また、暖房運転中の室外ユニット２の徐霜運転時には室外熱交換器２１からドレン水が滴下される恐れがある。これらはドレンパン６０によって集められる。ドレンパン６０にはドレンパン排水孔６０Ｂが設けられており、このドレンパン排水孔６０Ｂへと効率良く排水されるように、ドレンパン６０の中央部からドレンパン排水孔６０Ｂにかけて、水溜り部６０Ａが一際深く成形されており、特にドレンパン排水孔６０Ｂが最深部となるように成形されている。このドレンパン排水孔６０Ｂは、図６に示すように、その縁６０Ｃが機械室３００側に飛び出るように成形されている。
【００２６】
本実施形態による排水ダクト４を図５に示す。排水ダクト４は、断面がコの字形である排水ダクト構成部７０と、外装パネル６８の一部６８Ａとで構成される。即ち、排水ダクト構成部７０の開いている側の面を、外装パネルの一部６８Ａにより塞ぎ、これにより排水ダクト４の断面が矩形となるように構成される。このとき、排水ダクト構成部７０に設けられた面接触部７０Ｂによって、排水ダクト構成部７０と外装パネルの一部６８Ａとは面接触する。また、外装パネル６８は図６に示すように、機械室３００の上部枠部６９、下部枠部６６Ａ及び排水ダクト構成部７０にボルト（図示せず）止めされる。
【００２７】
ドレンパン側面部６０Ｄと外装パネル６８とは、室外ユニット２の側面に位置している。ドレンパン排水孔６０Ｂがドレンパン側面部６０Ｄから離れて位置し、排水ダクト構成部７０が外装パネル６８に接するように位置する、即ち、ドレンパン排水孔６０Ｂと排水ダクト流入口４Ａとが離れているため、ドレンパン排水孔６０Ｂから流出するドレン水を、排水ダクト４へと連通させるために樋７１が配置されている。
【００２８】
排水ダクト構成部７０の上端は、この樋７１の下部にボルト（図示せず）止めされ、排水ダクト構成部７０の下端は、機械室３００の底板６６の上に固定金具７２（図７）を介してボルト（図示せず）止めされている。ここで、排水ダクト構成部７０の下端は、図５に示すように、排水ダクト構成部７０の、外装パネル６８に対向する面の下端に、ドレン水が流れるのに十分な大きさの開口部７０Ａが設けられ、開口部７０Ａは底板６６の上面に連通する。機械室３００の中心部をメンテナンスする場合等には、図７に示すように外装パネル６８と排水ダクト構成部７０とを取り外すことが可能であり、機械室３００の中心部の作業を容易に行うことができる。
【００２９】
図６を参照し排水ラインの経路を説明する。ドレンパン６０によって集められたドレン水は、ドレンパン排水孔６０Ｂから、機械室３００の上部に位置する樋７１を介して排水ダクト４に流入する。排水ダクト４に流入したドレン水は、排水ダクト４の下端部側面の開口部７０Ａから機械室３００の底板６６に流出する。次に、底板６６に流れたドレン水は、底板６６の上に設けられた排水路により、底板６６に設けられた底板排水孔７３（図７）へと導かれ、この底板排水孔７３から外部へと排水される。
【００３０】
本実施形態では、上記構成の排水ダクト４を設けたことにより、作業員は図４に示すように外装パネル６８を取り外すだけで、そこにはドレンパン排水孔６０Ｂ及び排水ダクト構成部７０が露出する。即ち、本実施形態により、外装パネル６８を取り外すだけでドレンパン排水孔６０Ｂ、排水ダクト４の内部、排水ダクト４の出口が露出するため、排水ラインのゴミ等の詰まった位置が一目瞭然となり、また、その除去作業も容易に行う事ができる。
【００３１】
以上、一実施形態に基づいて本発明を説明したが、本発明は、これに限定されるものではない。本実施形態では、排水ダクト４の下端に開口部７０Ａを設け、ドレン水流出部を機械室３００の内部に設けた。このため、熱交換室２００に備えられた送風機６４により、底板排水孔７３から機械室３００に流入した外気が機械室内の空気と混ざってから、排水ダクト４の下端から上端へと流れ、熱交換室２００に吸い込まれる。このように、排水ダクト４の下端の開口部７０Ａを機械室３００の内部に設けたため、機械室３００の内部の熱気を換気するだけではなく、冬場のドレン水の凍結を防止する効果も有する。
【００３２】
しかし、機械室３００の内部の換気や凍結防止を必要としない等の場合には、排水ダクト４の下端の開口部７０Ａを機械室３００の外部へと直接連通させてもよい。
【００３３】
また、排水ダクト構成部７０の断面は、円弧形や三角形等、外装パネル６８を取り外すことにより排水ダクト４内部を露出する形状であればコの字形でなくてもよい。
【図面の簡単な説明】
【００３４】
【図１】空気調和装置の一実施の形態を示す回路図である。
【図２】室外ユニットの構成を示す回路図である。
【図３】室外ユニットの斜視図である。
【図４】熱交換室及び外装パネルを取り外した室外ユニットの斜視図である。
【図５】排水ダクトの斜視図である。
【図６】図４の外装パネル装着時のＶＩ−ＶＩ断面図である。
【図７】外装パネル及びダクト構成部を取り外した室外ユニットの斜視図である。
【符号の説明】
【００３５】
２  室外ユニット
４  ダクト
２０  圧縮機
２１  熱交換器
６０  ドレンパン
６０Ｂ  ドレンパン排水孔
６６  底板
６８  外装パネル
７１  樋
２００  熱交換室
３００  機械室
【図１】
2006125651.tif 000003
【図２】
2006125651.tif 000004
【図３】
2006125651.tif 000005
【図４】
2006125651.tif 000006
【図５】
2006125651.tif 000007
【図６】
2006125651.tif 000008
【図７】
2006125651.tif 000009